【手続補正書】
【提出日】平成24年4月5日(2012.4.5)
【手続補正１】
【補正対象書類名】特許請求の範囲
【補正対象項目名】全文
【補正方法】変更
【補正の内容】
【特許請求の範囲】
【請求項１】
フレキシブルプリント基板（ＦＰＣ）又はフレキシブルフラットケーブル（ＦＦＣ）と着脱自在に嵌合するコネクタであって、
前記ＦＰＣ又は前記ＦＦＣと接触する接触部、及び基板に接続する接続部を有する所要数のコンタクトと、該コンタクトが保持されるとともに前記ＦＰＣ又は前記ＦＦＣが挿入される嵌合口を有するハウジングと、前記嵌合口の反対側に、前記ＦＰＣ又は前記ＦＦＣに前記コンタクトを押圧するスライダーとを備え、前記接触部が、前記ＦＰＣ又は前記ＦＦＣの少なくとも上面と接触するコネクタにおいて、
前記コンタクトの前記接触部である第１接触部と前記接続部との間に、弾性部と支点部とを設けるとともに、前記第１接触部と前記弾性部と前記支点部と前記接続部とを、前記支点部が前記弾性部の下端側に位置するよう略クランク形状に配置し、かつ、前記接続部と対向する位置に前記弾性部の上端から延設された押受部を設けるとともに、前記押受部の下面、及び該押受部に対向する前記接続部の上面をともにフラットに形成し、
前記ハウジングには、前記スライダーが装着される側から嵌合口側に向かう方向に延びる挿入溝が設けられ、前記コンタクトは前記挿入溝に挿入され、挿入された前記コンタクトの接続部が前記ハウジングに保持され、
前記スライダーには、長手方向に連設した細長形状の押圧部を前記コンタクトの押受部の直下に設けるとともに、前記コンタクトの各々の押受部と対応して係合する複数の係止孔を別個独立に形成して、隣接するコンタクト間に仕切り壁を配設し、
前記スライダーの軸周りの回転に伴い、前記押圧部が前記押受部に作用して、前記ハウジングに保持された前記コンタクトの接続部は前記ハウジングに保持されたままの状態で、前記コンタクトの押受部のみが前記押圧部によって押し上げられ、前記支点部を支点にし、前記弾性部が前記第１接触部側に傾くことによって、前記押圧部が前記ＦＰＣ又は前記ＦＦＣを直に押圧することなく、前記第１接触部が前記ＦＰＣ又は前記ＦＦＣ側に下方変位して、前記ＦＰＣ又は前記ＦＦＣと押圧接触することを特徴とするコネクタ。
【請求項２】
フレキシブルプリント基板（ＦＰＣ）又はフレキシブルフラットケーブル（ＦＦＣ）と着脱自在に嵌合するコネクタであって、
前記ＦＰＣ又は前記ＦＦＣと接触する接触部、及び基板に接続する接続部を有する所要数のコンタクトと、該コンタクトが保持されるとともに前記ＦＰＣ又は前記ＦＦＣが挿入される嵌合口を有するハウジングと、前記嵌合口の反対側に、前記ＦＰＣ又は前記ＦＦＣに前記コンタクトを押圧するスライダーとを備え、前記接触部が、前記ＦＰＣ又は前記ＦＦＣの少なくとも上面と接触するコネクタにおいて、
前記ハウジングには、前記スライダーが装着される側から嵌合口側に向かう方向に延びる挿入溝が設けられ、前記コンタクトは前記挿入溝に挿入され、挿入された前記コンタクトの接続部が前記ハウジングに保持され、
前記コンタクトの前記接触部である第１接触部と前記接続部との間に、弾性部と支点部とを設けるとともに、前記第１接触部と前記弾性部と前記支点部と前記接続部とを、前記支点部が前記弾性部の下端側に位置するよう略クランク形状に配置し、かつ、前記接続部と対向する位置に前記弾性部の上端から延設された押受部を設け、さらに、前記コンタクトは、前記支点部から前記第１接触部と同じ方向に延設した延設部を有し、前記延設部は、該第１延設部と前記第１接触部との間にハウジングが存在しない状態で前記挿入溝に挿入され、
前記スライダーには、長手方向に連設した細長形状の押圧部を前記コンタクトの押受部の直下に設けるとともに、前記コンタクトの各々の押受部と対応して係合する複数の係止孔を別個独立に形成して、隣接するコンタクト間に仕切り壁を配設し、
前記スライダーの軸周りの回転に伴い、前記押圧部が前記押受部に作用して、前記ハウジングに保持された前記コンタクトの接続部は前記ハウジングに保持されたままの状態で、前記コンタクトの押受部のみが前記押圧部によって押し上げられ、前記支点部を支点にし、前記弾性部が前記第１接触部側に傾くことによって、前記押圧部が前記ＦＰＣ又は前記ＦＦＣを直に押圧することなく、前記第１接触部が前記ＦＰＣ又は前記ＦＦＣ側に下方変位して、前記ＦＰＣ又は前記ＦＦＣと押圧接触することを特徴とするコネクタ。
【請求項３】
フレキシブルプリント基板（ＦＰＣ）又はフレキシブルフラットケーブル（ＦＦＣ）と着脱自在に嵌合するコネクタであって、
前記ＦＰＣ又は前記ＦＦＣと接触する接触部、及び基板に接続する接続部を有する所要数のコンタクトと、該コンタクトが保持されるとともに前記ＦＰＣ又は前記ＦＦＣが挿入される嵌合口を有するハウジングと、前記嵌合口の反対側に、前記ＦＰＣ又は前記ＦＦＣに前記コンタクトを押圧するスライダーとを備え、前記接触部が、前記ＦＰＣ又は前記ＦＦＣの少なくとも上面と接触するコネクタにおいて、
前記ハウジングには、前記スライダーが装着される側から嵌合口側に向かう方向に延びる挿入溝が設けられ、前記コンタクトは前記挿入溝に挿入され、挿入された前記コンタクトの接続部が前記ハウジングに保持され、
前記コンタクトの前記接触部である第１接触部と前記接続部との間に、弾性部と支点部とを設けるとともに、前記第１接触部と前記弾性部と前記支点部と前記接続部とを、前記支点部が前記弾性部の下端側に位置するよう略クランク形状に配置し、かつ、前記接続部と対向する位置に前記弾性部の上端から延設された押受部を設けるとともに、前記押受部の下面、及び該押受部に対向する前記接続部の上面をともにフラットに形成し、さらに、前記コンタクトは、前記支点部から前記第１接触部と同じ方向に延設した延設部を有し、前記延設部は、該第１延設部と前記第１接触部との間にハウジングが存在しない状態で前記挿入溝に挿入され、  
前記スライダーには、長手方向に連設した細長形状の押圧部を前記コンタクトの押受部の直下に設けるとともに、前記コンタクトの各々の押受部と対応して係合する複数の係止孔を別個独立に形成して、隣接するコンタクト間に仕切り壁を配設し、
前記スライダーの軸周りの回転に伴い、前記押圧部が前記押受部に作用して、前記ハウジングに保持された前記コンタクトの接続部は前記ハウジングに保持されたままの状態で、前記コンタクトの押受部のみが前記押圧部によって押し上げられ、前記支点部を支点にし、前記弾性部が前記第１接触部側に傾くことによって、前記押圧部が前記ＦＰＣ又は前記ＦＦＣを直に押圧することなく、前記第１接触部が前記ＦＰＣ又は前記ＦＦＣ側に下方変位して、前記ＦＰＣ又は前記ＦＦＣと押圧接触することを特徴とするコネクタ。
【請求項４】
前記延設部の先端には、前記第１接触部と向き合うように、前記ＦＰＣ又は前記ＦＦＣの下面と接触する第２接触部が設けられる請求項２又は３に記載のコネクタ。
【請求項５】
前記ハウジングは、前記コンタクトの押受部が押し上げられて上方変位する際、前記押受部の上方変位を妨げることがないよう、前記ハウジングの一部を切り欠いた切欠部を有する請求項１〜４の何れか一項に記載のコネクタ。
【請求項６】
前記コンタクトの押受部の先端に突出部を設け、前記スライダーの押圧部が前記コンタクトの押受部の先端に向かう方向へ移動しないようにした請求項１〜５の何れか一項に記載のコネクタ。